(57)【要約】【課題】波乗り現象によってケーブルが引っ張られる側のマンホール内の現場において、ケーブルの傾きに合わせてクリートでケーブルをクランプし、かつ、フレームをマンホールの内壁に支持してケーブルを拘束する。【解決手段】波乗り現象によって移動するケーブルを、このケーブルが引っ張られる側のマンホール内で拘束するためのケーブル拘束方法であって、フレーム４０を備えているクリート２２により、波乗り現象による引っ張り力を受けているケーブルをクランプした後に、このケーブルに作用している引っ張り力に対抗してフレーム４０を支持するに当たり、フレームをケーブルに合わせた傾きのままで、該フレームに設けられている複数本のロッド５０のフレーム４０からの突出量を個別に調整する。そして、これらのロッド５０を通じてフレームをマンホールの内壁に支持する。【選択図】図２
2014039402.tif 000002
【特許請求の範囲】
【請求項１】
波乗り現象によって移動するケーブルを、このケーブルが引っ張られる側のマンホール内で拘束するためのケーブル拘束方法であって、
フレームを備えているクリートにより、波乗り現象による引っ張り力を受けているケーブルをクランプした後に、このケーブルに作用している引っ張り力に対抗してフレームを支持するに当たり、フレームをケーブルに合わせた傾きのままで、該フレームに設けられている複数本のロッドのフレームからの突出量を個別に調整し、これらのロッドを通じてフレームをマンホールの内壁に支持することを特徴としたケーブル拘束方法。
【請求項２】
波乗り現象によって移動するケーブルを、このケーブルが引っ張られる側のマンホール内で拘束するためのケーブル拘束装置であって、
ケーブルをクランプするクリートがフレームを備え、このフレームに複数本のロッドが設けられ、これらのロッドは、フレームからの突出量を個別に調整することが可能であるとともに、ケーブルに作用している引っ張り力に対抗してフレームをマンホールの内壁に支持することが可能に配置されているケーブル拘束装置。
【発明の詳細な説明】
【技術分野】
【０００１】
本発明は、車道下に埋設された管路内の電力用ケーブル（ＣＶケーブル等）が波乗り現象によって移動するのを拘束するためのケーブル拘束方法およびそれに用いるケーブル拘束装置に関する。
【背景技術】
【０００２】
波乗り現象とは、車道下に埋設された管路内のケーブルが車両の走行により、その進行方向へ移動する現象である。その発生原因としては、車両の走行に伴う荷重で地盤と共に埋設管路が撓み、その部分に滑り込んだケーブルが管路の復元時に管路内面との摩擦によって車両の進行方向へ移動するとされている。この波乗り現象により、ケーブルが引っ張られる側のマンホール内ではケーブルの長さに余裕がなくなり、逆にケーブルが送り込まれる側のマンホール内ではケーブルの弛みが増加する。
【０００３】
従来、波乗り現象によるケーブルの移動を拘束する手段の一例としては、ケーブルが引っ張られる側のマンホール内において、クリートを備えた架台を管路の開口近くの壁面に固定するとともに、クリートでケーブルをクランプしている。
また、ケーブルの移動を拘束する他の手段として、例えば特許文献１に開示された技術では、埋設管路とケーブルとの間に、径方向に膨張する押え具を介在させている。この押え具は、中空状の伸縮部材（ゴムチューブ）の中に圧縮空気などを充填することで膨張し、管路内でケーブルを拘束する。しかしながら、この拘束手段は、クリートを備えた架台を用いた拘束手段と比べ、伸縮部材に対する圧縮空気などの充填を継続的に管理する必要がある。
【先行技術文献】
【特許文献】
【０００４】
【特許文献１】特開２００５−２５３２４１号公報
【発明の概要】
【発明が解決しようとする課題】
【０００５】
クリートを備えた架台をマンホール内の壁面に固定してケーブルの移動を拘束する手段では、つぎの理由からクリートによってケーブルをクランプすることができない場合がある。
一般に、波乗り現象による引っ張り力を受けているケーブルは、マンホール内におけるジョイント等から管路の開口に向けて斜めに真っ直ぐ引き込まれており、長さに余裕がなくなっている。このような状況で、現場の事前調査に基づいて設計されたクリート付きの架台をマンホールに持ち込んで壁面に固定したとき、架台のクリートが装着されている箇所の傾きがケーブルの傾きに合っていないと、クリートによるケーブルをクランプが不可能になる。
【０００６】
本発明は、このような課題を解決しようとするもので、その目的は、波乗り現象によってケーブルが引っ張られる側のマンホール内の現場において、ケーブルの傾きに合わせてクリートでケーブルをクランプし、かつ、フレームをマンホールの内壁に支持してケーブルを拘束することである。
【課題を解決するための手段】
【０００７】
本発明は、上記の目的を達成するためのもので、以下のように構成されている。
第１の発明は、波乗り現象によって移動するケーブルを、このケーブルが引っ張られる側のマンホール内で拘束するためのケーブル拘束方法であって、フレームを備えているクリートにより、波乗り現象による引っ張り力を受けているケーブルをクランプした後に、このケーブルに作用している引っ張り力に対抗してフレームを支持するに当たり、フレームをケーブルに合わせた傾きのままで、該フレームに設けられている複数本のロッドのフレームからの突出量を個別に調整する。そして、これらのロッドを通じてフレームをマンホールの内壁に支持する。
【０００８】
第２の発明は、波乗り現象によって移動するケーブルを、このケーブルが引っ張られる側のマンホール内で拘束するためのケーブル拘束装置であって、ケーブルをクランプするクリートがフレームを備え、このフレームに複数本のロッドが設けられている。これらのロッドは、フレームからの突出量を個別に調整することが可能であるとともに、ケーブルに作用している引っ張り力に対抗してフレームをマンホールの内壁に支持することが可能に配置されている。
【発明の効果】
【０００９】
本発明のケーブル拘束方法においては、波乗り現象によってケーブルが引っ張られる側のマンホール内の現場において、フレームに設けられている各ロッドの突出量を個別に調整することにより、マンホールの内壁に対するフレームの支持角度を任意に調整することができる。したがって、波乗り現象による引っ張り力を受けているケーブルが、マンホール内においてジョイント等から管路の開口に向けて斜めに真っ直ぐ引き込まれ、その間の長さに余裕がない場合であっても、ケーブルの傾きに合わせてクリートでケーブルをクランプし、かつ、フレームを傾けたままでマンホールの内壁に支持してケーブルを拘束することができる。
また、フレームの支持角度は、現場の状況に応じて的確に調整することができるため、現場の事前調査およびそれに基づく装置の設計といった作業が不要となる。
【００１０】
本発明のケーブル拘束装置は、前述のケーブル拘束方法を実施するのに最適であり、波乗り現象によってケーブルが引っ張り力を受けている側のマンホール内において、ケーブルの長さに余裕がない場合であっても、コンパクトな装置によってケーブルをクランプし、かつ、フレームを傾けたままでマンホールの内壁に支持してケーブルを拘束することができる。
【図面の簡単な説明】
【００１１】
【図１】波乗り現象によってケーブルが引っ張られる側のマンホール内の概略図。
【図２】ケーブル拘束装置を表した側面図。
【図３】ケーブル拘束装置を一部断面で表した正面図。
【図４】ケーブル拘束装置を表した平面図。
【図５】ケーブル拘束装置のフレームを表した斜視図。
【図６】ケーブル拘束装置の使用状態を表した側面図。
【図７】ケーブル拘束装置の使用状態を表した平面図。
【発明を実施するための形態】
【００１２】
以下、本発明を実施するための形態を、図面を用いて説明する。
図１で示すマンホール１４においては、ケーブル１０が既に説明した波乗り現象によって管路１８の中に向けて引っ張られている。このため、ケーブル１０は、ジョイント１２から管路１８の開口に向けて斜めに真っ直ぐ引き込まれ、その間の長さに余裕がなくなっている。このような状況を放置しておくと、マンホール１４の側ではジョイント１２が破損するなどの事態を招き、逆にケーブルが送り込まれる側のマンホール（図示省略）側ではケーブル１０の弛みが増加して湾曲し、絶縁皮膜（シース）が損傷するなどの不具合が生じる。
そこで、マンホール１４内においてケーブル１０をそれ以上移動しないように拘束することが必要となる。そのための拘束装置２０を、以下に説明する。
【００１３】
拘束装置２０の構造は、ケーブル１０をクランプするクリート２２、そのフレーム４０およびフレーム４０を支持するためのロッド５０に大別される（図２〜図４）。
クリート２２は、フレーム４０に対して２個直列に配置されている。これらのクリート２２は、図面（図２、図３）の上下に分離された第１金具２４および第２金具２６の間に円筒形状のスペーサ３６が挟み込まれた構成になっている。第１金具２４および第２金具２６はアルミニュームなどの金属製であり、スペーサ３６はゴムなどで成形されている。なお、スペーサ３６の内周形状は、３本のケーブル１０を挿通させてクランプする形状になっている（図３）。
【００１４】
両クリート２２における第１金具２４および第２金具２６は、その両側において締結ボルト３０によって互いに結合されている。上側の第１金具２４は、締結ボルト３０が挿通されるスリーブ２８を備えており、このスリーブ２８の内部には締結ボルト３０を軸心とするコイルスプリング３２が組込まれている（図３）。このスプリング３２は、スリーブ２８内の底面と締結ボルト３０の座金３４との間に位置しており、締結ボルト３０の締付け量に応じて圧縮力が調整され、結果として第１金具２４および第２金具２６の結合荷重を調整することができる。
下側の第２金具２６は、その基部の両側において固定ボルト３８によりフレーム４０に取付けられている（図３）。
【００１５】
フレーム４０は金属製であり、図５からも明らかなように、ベース部４２と、このベース部４２の一端部から直角に立ち上げられた支持壁部４４とによって構成されている。ベース部４２および支持壁部４４には、それぞれの両側部を直角に折曲げた補強リブ４２ａ，４４ａが設けられており、それによってフレーム４０の剛性を高めている。なお、フレーム４０は、所定の形状に成形された一対の部材同士を、そのベース部４２に相当する部分に金属プレート４５を介在して溶接で結合した構造になっている。したがって、支持壁部４４は見かけ上、左右両側に分離しているが、フレーム４０を１枚の金属板で構成することも当然可能であり、その場合は支持壁部４４も１枚の板状になる。
【００１６】
フレーム４０のベース部４２には、両クリート２２における下側の第２金具２６を固定する２本ずつ計４本の固定ボルト３８を挿通させる挿通孔４６が開けられている。これらの挿通孔４６に固定ボルト３８を挿通して締結することにより、両クリート２２がベース部４２に固定される。
フレーム４０の両支持壁部４４には、それぞれの上下二箇所において挿通孔４８が開けられている。これらの各挿通孔４８に個別に挿通させたロッド５０に対し、支持壁部４４の両面側においてナット５２がそれぞれ締付けられている。したがって、各ロッド５０は個々のナット５２の締付け位置を調整することにより、支持壁部４４からの突出量を個別に調整することが可能である。
【００１７】
つづいて、図１で示すマンホール１４内において、ケーブル１０を拘束装置２０で拘束する方法を説明する。まず、マンホール１４内のケーブル１０において、ジョイント１２から管路１８の開口までの間に位置する部分をクリート２２によってクランプする。このクランプについては、クリート２２におけるスペーサ３６の中にケーブル１０を通し、締結ボルト３０によって第１金具２４と第２金具２６とを締付ける。これにより、クリート２２によるケーブル１０のクランプ力を調整し、要求値どおりに設定する。
【００１８】
つぎに、フレーム４０を、ケーブル１０に作用している引っ張り力に対抗してマンホール１４の内壁１６に支持するのであるが、フレーム４０はクリート２２でクランプしたケーブル１０の傾きにより、内壁１６に対して傾斜している（図６および図７）。そこで、フレーム４０の傾斜に応じて各ロッド５０の支持壁部４４からの突出量を個別に調整し、それぞれの先端を内壁１６に押し当てる。これにより、フレーム４０が上下左右の三次元方向へ傾いていても、そのまま内壁１６に支持することができる。
このように、マンホール１４の内壁１６に対するフレーム４０の支持角度は、現場においてケーブル１０の傾きに合わせて的確に調整でき、それによってケーブル１０を拘束することができる。このため、現場の事前調査およびそれに基づく装置の設計といった作業が不要となる。
【００１９】
以上は本発明を実施するための最良の形態を図面に関連して説明したが、この実施の形態は本発明の趣旨から逸脱しない範囲で容易に変更または変形できるものである。
例えば、クリート２２については、フレーム４０に対して２個直列に配置された例を説明したが、ケーブル１０をクランプする力が小さくてもよい場合は１個に減らすこともできる。
また、フレーム４０における各ロッド５０の突出量を調整する手段としては、ナット５２をクサビ型の固定具に代えてもよく、あるいはロッド５０を油圧で作動させてもよい。
【符号の説明】
【００２０】
１０   ケーブル
１４   マンホール
１６   内壁
２０   拘束装置
２２   クリート
４０   フレーム
４４   支持壁部
５０   ロッド
【図１】
2014039402.tif 000003
【図２】
2014039402.tif 000004
【図３】
2014039402.tif 000005
【図４】
2014039402.tif 000006
【図５】
2014039402.tif 000007
【図６】
2014039402.tif 000008
【図７】
2014039402.tif 000009